(57)【要約】      （修正有）【課題】ベルトコンベヤー用ローラーの長寿命化に関する。【解決手段】ゴムベルトを回転させるローラー２００が具備されるベルトコンベヤーにおいて、ローラー２００の摩耗を確認する凹溝２１１が形成されたローラー管２１０と、ローラー管２１０の内部に挿入されたシャフト２２０によって繋がれて、ベルトコンベヤーと回転されるように結合されるシャフト補強部材２３０と、ローラー管２１０の両側端を密閉する防塵カバー２７０と、シャフト補強部材２３０の外周面に結合されるベアリング２４０が備えられるベアリングハウジング２６０と、ベアリングハウジング２６０の内側に挿入されてベアリング２４０の一面を支持してベアリング２４０の膨脹または収縮を制御する平板スプリング２５０と、防塵カバー２７０の外側面に固定結合されてローラー２００の内部に浸透する異物を遮断するエンドキャップ２９０を備える。【選択図】図２
2011213490.tif 000002
【特許請求の範囲】
【請求項１】
ベルトコンベヤーの上部に長さ方向で位して、ゴムベルトを回転させることができるように多数ヶのローラーが具備されるベルトコンベヤーにおいて、
前記ローラーの表面の摩耗状態を確認することができるように凹溝が形成されたローラー管と、
前記のローラー管の両側の端部に構成されて、このローラー管の内部に挿入されたシャフトによって繋がれて、ベルトコンベヤーと回転されるように結合されるシャフト補強部材と、
前記のローラー管の両側端を密閉させて、前記のシャフト補強部材が貫通される防塵カバーと、
前記の防塵カバーの内周に挿入されて、前記のシャフト補強部材の外周面に回転可能に結合されるベアリングが備えられるベアリングハウジングと、
前記のベアリングハウジングの内側に挿入されてベアリングの一面を弾性によって支持してこのベアリングの膨脹または収縮を制御する平板スプリングと、
前記の防塵カバーの外側面に固定結合されてローラーの内部に浸透する各種の異物を遮断するエンドキャップと、を備えることを特徴とするベルトコンベヤー用ローラー。
【請求項２】
前記の平板スプリングの外周面にはベアリングの膨脹及び収縮を制御するように平板スプリングと一体に形成されるが、所定の弾性力を持つように一定の角度くらい折曲されるように弾性突起が形成されることを特徴とする請求項１に記載のベルトコンベヤー用ローラー。
【請求項３】
前記の防塵カバーの補助突起と前記のエンドキャップの内側面の間にはローラーの外部から各種の微細異物などが浸透することを防止する異物遮断部材がもっと備えられることを特徴とする請求項１に記載のベルトコンベヤー用ローラー。
【発明の詳細な説明】
【技術分野】
【０００１】
本発明はベルトコンベヤー用ローラーに関することで、もっと詳しくは燃料及び原料を移送するためのベルトコンベヤーローラーの摩耗状態を肉眼で容易く確認して点検及び入れ替え時期を把握することができるし、ローラーの駆動の時発生される粉塵や雨天の時雨水の流入を前もって遮断するベルトコンベヤー用ローラーに関するのである。
【背景技術】
【０００２】
一般的にコンベヤーは原資材、機械部品、包装された貨物などを連続的に運ぶ機械として、最近の物流合理化の措置によって倉庫及び流通センターで活発に使われている重要な運び器機である。
【０００３】
このようなコンベヤーはベルトコンベヤー、ローラーコンベヤー、スクリューコンベヤー、チェーンコンベヤーなど種類が多様であり、用途によって選択的に使うようになるのに、その中でも一番多く使われるのがローラーコンベヤー及びベルトコンベヤーなどがある。
【０００４】
ここで、ローラーコンベヤーは自由に回転することができるローラーを多数並列させてこれを傾くようにするとかギアーで回転させて貨物を移動させるのに使っているし、またベルトコンベヤーは水平または傾斜になった長いフレームの両端に設置されたベルトプーリーにベルトを巻いてかけてその下にベルトを支持する多数のローラーを配置してこれを回転させることで貨物を連続的に運ぶのに使われている。
【０００５】
一方、ローラーコンベヤー及びベルトコンベヤーにおいて、ローラーの機能は非常に重要なことで、特にベルトコンベヤーに使われる場合ベルトを移動させるとかベルトの弛まれることを防止するためにベルトコンベヤーの底面に多数のローラーを配置してこれを回転させてベルトが循環されるようにすることで貨物などを支持及び運ぶようになる。
【０００６】
ここで多数のローラーはその見掛けを成すローラー管の両端にベアリングハウジングが溶接設置されてその内部の中央にローラーを支持するシャフトが貫通設置されているし、シャフトとベアリングハウジング内のベアリングが接触した状態でベアリングが回転されるによってシャフトを中心にローラーが回転される構造になっている。
【０００７】
ところが、ベアリングの回転でローラーが持続的に運転されながらローラー内部のベアリングなどが摩耗されて、またベアリング内部に異物が流入されるとかベアリングハウジングの外に潤滑油などが漏洩する問題点があった。
【０００８】
だけでなく、防水処理にならなくてベアリングの内部及び外部にさびが発生して、ローラーの設置後には潤滑油の投入が不可能で耐久寿命を急激に縮めさせる問題点があった。
【発明の概要】
【発明が解決しようとする課題】
【０００９】
このような問題点を解決するために本発明はベルトコンベヤーのゴムベルトを回転させることができるローラーの外部表面に凹溝を形成することで、使用者が肉眼でローラーの表面の摩耗状態を確認してこのローラーの点検及び入れ替え時期を把握することができるベルトコンベヤー用ローラーを提供するのにその目的がある。
【００１０】
本発明の他の目的はローラーの駆動中季節の温度差によって膨脹または収縮するベアリングの一端にこのベアリングの膨脹率または収縮率を制御する平板スプリングを具備することで、ローラーの駆動がなだらかに成り立つようにしてローラーの誤作動発生のくらいを最小化するのにその目的がある。
【００１１】
本発明のまた他の目的は防塵カバーの外部面に異物遮断部材を設置してベルトコンベヤーの運行中外部から浸透する粉塵、水及び砂などのような各種の異物からより完璧に保護して騷音と震動を最小化して、ローラー内部の部品たちの寿命を延長させて長期間使うのにその目的がある。
【課題を解決するための手段】
【００１２】
このような目的を果たすために本発明はベルトコンベヤーの上部に長さ方向で位して、ゴムベルトを回転させることができるように多数ヶのローラーが 具備されるベルトコンベヤーにおいて、前記ローラーの表面の摩耗状態を確認することができるように凹溝が形成されたローラー管と、前記のローラー管の両側の端部に構成されて、このローラー管の内部に挿入されたシャフトによって繋がれて、ベルトコンベヤーと回転されるように結合されるシャフト補強部材と、前記のローラー管の両側端を密閉させて、前記のシャフト補強部材が貫通される防塵カバーと、前記の防塵カバーの内周に挿入されて、前記のシャフト補強部材の外周面に回転可能に結合されるベアリングが備えられるベアリングハウジングと、前記のベアリングハウジングの内側に挿入されてベアリングの一面を弾性によって支持してこのベアリングの膨脹または収縮を制御する平板スプリングと、前記の防塵カバーの外側面に固定結合されてローラーの内部に浸透する各種の異物を遮断するエンドキャップと、を備えることを特徴とするベルトコンベヤー用ローラーを提供する。
【００１３】
また、本発明において、前記の平板スプリングの外周面にはベアリングの膨脹及び収縮を制御するように平板スプリングと一体に形成されるが、所定の弾性力を持つように一定の角度くらい折曲されるように弾性突起が形成されることを特徴とするベルトコンベヤー用ローラーを提供する。
【００１４】
また、本発明において、防塵カバーの補助突起と前記のエンドキャップの内側面の間にはローラーの外部から各種の微細異物などが浸透することを防止する異物遮断部材がもっと備えられることを特徴とするベルトコンベヤー用ローラーを提供する。
【発明の効果】
【００１５】
このような本発明によれば、使用者が肉眼でローラー表面の摩耗状態を容易く確認することができてローラーの点検及び入れ替え時期を把握することができるし、ベルトコンベヤーのゴムベルトと接触されるローラーの空回転を防止する效果がある。
【００１６】
また、本発明によれば、ローラーの駆動中季節の温度差によってベアリングの膨脹率及び収縮率を制御することで、ローラーの駆動がなだらかに成り立つようにする效果がある。
【００１７】
また、本発明によれば、ローラーの駆動中ローラーの内部に浸透する粉塵、水及び砂等のような各種の異物から完璧に保護してローラー内部の部品たちの寿命を延長させて長期間使うことができる效果がある。
【図面の簡単な説明】
【００１８】
【図１】図１は本発明の好ましい実施例によるベルトコンベヤー用ローラーを示した設置状態図。
【図２】図２は本発明の好ましい実施例によるベルトコンベヤー用ローラーを示 した分解斜視図。
【図３】図３は本発明の好ましい実施例によるベルトコンベヤー用ローラーを示 した断面図。
【図４】図４は本発明の好ましい実施例によるベルトコンベヤー用ローラーの平板スプリングを示した斜視図。
【図５】図５は本発明の好ましい実施例によるベルトコンベヤー用ローラーのカバー及び異物遮断部材を示した斜視図である。
【発明を実施するための形態】
【００１９】
以下、本発明の好ましい実施例を添付された図面たちを参照して詳しく説明する。まず各図面の構成要素たちに参照符号を付け加えるにおいて、等しい構成要素たちに対してはたとえ他の図面上に表示されてもできるだけ等しい符号を持つようにしている事に留意しなければならない。また、本発明を説明することにおいて、係わる公知構成または機能に対する具体的な説明が本発明の要旨を濁ごすことができると判断される場合にはその詳細な説明は略する。
【００２０】
図１は本発明の好ましい実施例によるベルトコンベヤー用ローラーを示 した設置状態図で、図２は本発明の好ましい実施例によるベルトコンベヤー用ローラーを示した分解斜視図であり、図３は本発明の好ましい実施例によるベルトコンベヤー用ローラーを示した断面図である。また、図４は本発明の好ましい実施例によるベルトコンベヤー用ローラーの平板スプリングを示した斜視図であり、図５は本発明の好ましい実施例によるベルトコンベヤー用ローラーのカバー及び異物遮断部材を示した斜視図である。
【００２１】
図示されたところのように、本発明によればベルトコンベヤー１００の上部には長さ方向で位して各種の移送物を移送するゴムベルト１１０を回転させる多数ヶのローラー２００が回転可能に備えられる。
【００２２】
ここで、ローラー２００は外周面にゴムベルト１１０と接触して、ローラー２００の表面の摩耗状態を確認する凹溝２１１が形成されたローラー管２１０、ローラー２００を回転させるシャフト２２０をベルトコンベヤー１００に固定結合させるシャフト補強部材２３０、シャフト２２０の回転力を支持するベアリング２４０が収容されたベアリングハウジング２６０、ベアリングハウジング２６０の内側面に挿入されて、ローラー管２１０の両端部に結合されて外部から汚染物質を遮断する防塵カバー２７０及びこの防塵カバー２７０と結合するエンドキャップ２９０を備えて構成される。
【００２３】
ローラー管２１０は樹脂素材を利用して射出成形を通じて製作されることとして所定の厚さを持つ円筒状の管形態に形成されて、ローラー管２１０の外周には使用者が肉眼でローラー２００表面の摩耗状態を確認して点検及び入れ替え時期を把握することができるように凹溝２１１が形成される。
【００２４】
ここで、ローラー管２１０の外周の凹溝２１１はローラー２００の滑めらかな表面によってゴムベルト１１０とローラー２００が空回転することを防止する。
【００２５】
すなわち、凹溝２１１はローラー管２１０の外周面にスクリュー加工方式などを通じてこのローラー管２１０の円周に沿って陥没形成されてゴムベルト１１０と接触するローラー管２１０の表面の摩耗状態を容易く確認することができる。
【００２６】
防塵カバー２７０はローラー管２１０の両側端に設置されて雨水などの各種の汚染物質がローラー管２１０の内部に浸透することを防止するようにローラー管２１０の内部を密閉させるのである。
【００２７】
このような防塵カバー２７０は防塵カバー２７０と、この防塵カバー２７０を貫くシャフト補強部材２３０の間の裕隔を通じて雨水などの汚染物質が流入されることを防止するために外側に突出形成された補助突起２７１が形成される。
【００２８】
ベアリングハウジング２６０はローラー管２１０と同じく樹脂素材に形成されるのに、このような樹脂素材は鋼鉄材質になったことに比べて耐摩耗性及び耐化學性が優秀だから長期間の使用が可能でローラー２００の重量を大きく減らすことができるようになる。
【００２９】
このようなベアリングハウジング２６０は後述するシャフト補強部材２３０と回転できるように結合されて、ローラー２００の回転を支持するシャフト２２０の自重とシャフト２２０にかかる荷重を支持しながらシャフト２２０をなだらかに回転するようにするベアリング２４０が収容されて、防塵カバー２７０の内周に挿入されて、接着または溶接などの方法で防塵カバー２７０と融着される。
【００３０】
一方、ベアリング２４０には潤滑油が注入されていてローラー２００の反復的な作動で温度が上昇されながら形態が変形されることでベアリング２４０の回転力を減少させるだけでなくベアリング２４０のひんぱんな駆動でベアリング２４０が摩耗されることを防止することができるのである。
【００３１】
平板スプリング２５０はベアリング２４０の後方に位するようにベアリングハウジング２６０の内側に挿入されて、その外周面にはベアリング２４０に弾性力を提供する多数の弾性突起２５１が形成される。
【００３２】
ここで、平板スプリング２５０に形成された弾性突起２５１はローラー２００の駆動中、季節の温度差、高速回転するローラー２００の回転によって発生する摩擦力によって膨脹または収縮するベアリング２４０の膨脹率または収縮率などを制御することとして、平板スプリング２５０と一体に形成されるが、所定の弾性力を持つように一定の角度くらい折曲されるように形成されてベアリング２４０の外周面と接触される。
【００３３】
すなわち、本発明の弾性突起２５１は所定の弾性力を持ったままベアリング２４０といつも接触された状態を維持していて、ベアリング２４０が膨脹される時には弾性力によってベアリング２４０の膨張力を減少させて、ベアリング２４０が収縮する場合には弾性突起２５１の弾性力によってベアリング２４０を支持することで、ベアリング２４０と回転可能に結合されるシャフト補強部材２３０がなだらかに回転されるようにするのである。
【００３４】
シャフト補強部材２３０はシャフト２２０の重量を最小化してローラー２００の全体的な重量を減少させることと同時にローラー２００の回転力を支持するようにローラー２００の両側端部に構成されることとして、ベアリング２４０と回転可能に結合されて、外周面にベルトコンベヤー１００に着脱が可能に固定することができる引っ掛かり部２３２が形成されて、その内周面にはシャフト２２０の端部が挿入されるのである。  
【００３５】
すなわち、シャフト補強部材２３０はローラー２００の回転のためにこのローラーの一側及び他側にそれぞれ構成されてベアリング２４０及びコンベヤーと回転可能に結合されることであり、シャフト２２０はローラー２００の一側及び他側にそれぞれ構成されるシャフト補強部材２３０を連結してローラー２００が容易く回転するように構成されるのである。
【００３６】
これによって、従来のローラー２００の回転のために構成されるシャフトの外径より小さな外径で製作ができるからローラーの重量を減少させることができる。
【００３７】
例えば、従来のシャフトがローラー２００の回転のために最小φ２４外径に製作されなければならなかったら、本発明ではシャフト補強部材２３０を連結するシャフト２２０の外径を最小φ１２の外径に製作してもローラー２００がなだらかに回転ができるので、ローラー２００の重量を最大限減少することができるようになるのである。
【００３８】
エンドキャップ２９０はベルトコンベヤー１００の駆動中に粉塵、水などがベアリング２４０で浸透することをあらかじめ防止することで、ローラー２００の内部部品たちの寿命を延長させて長期間使うことができるようになるのである。
【００３９】
このようなエンドキャップ２９０は防塵カバー２７０に形成された補助突起２７１に固定結合されることとして、補助突起２７１とともに二重に外部の各種の異物たちがローラー２００の内部に浸透することを遮断するのである。
【００４０】
一方、エンドキャップ２９０と防塵カバー２７０の間には異物遮断部材２８０を附着させることで、エンドキャップ２９０と補助突起２７１の間の微細な裕隔から浸透する微細ほこり等の微細異物を遮断することができる。
【００４１】
ここで異物遮断部材２８０は樹脂材で弾性があるスポンジを用いるようになるのにこれはローラー２００が回転しながらローラー２００の内側に位した部品たちが少しの流動が発生するようになって、ローラー２００の内側に防塵カバー２７０と繋がれたエンドキャップ２９０の間に附着してローラー２００の流動に構わずに外部から汚染物質が流入される状況を防止して、また防塵カバー２７０と緩衝の役目も成り立つようになるのである。
【００４２】
以上の説明は本発明の技術思想を例示的に説明したことに過ぎないこととして、本発明が属する技術分野で通常の知識を持った者なら本発明の本質的な特性から脱しない範囲で多様な修正及び変形が可能である。したがって、本発明に開示された実施例たちは本発明の技術思想を限定するためではなく説明するためのことで、このような実施例によって本発明の技術思想の範囲が限定されるのではない。本発明の保護範囲は下の請求範囲によって解釈されなければならないし、それと同等な範囲内にいるすべての技術思想は本発明の権利範囲に含まれることに解釈されなければならない。
【符号の説明】
【００４３】
１００：ベルトコンベヤー      １１０：ゴムベルト
２００：ローラー              ２１０：ローラー管
２１１：凹溝                  ２２０：シャフト
２３０：シャフト補強部材      ２３２：引っ掛かり部
２４０：ベアリング            ２５０：平板スプリング
２５１：弾性突起              ２６０：ベアリングハウジング
２７０：防塵カバー            ２７１：補助突起
２８０：異物遮断部材          ２９０：エンドキャップ
【図１】
2011213490.tif 000003
【図２】
2011213490.tif 000004
【図３】
2011213490.tif 000005
【図４】
2011213490.tif 000006
【図５】
2011213490.tif 000007